(57)【特許請求の範囲】
【請求項１】
器具本体と、
前記器具本体の底板上に載置され、所定厚みを有し、平面視で四角形のＬＥＤ基板と、
弾性を有する板部材で構成され、平面視でコ字形状を有すると共に、前記ＬＥＤ基板の固定に用いられる、前記コ字形状の内側の開口に向けて突出する固定爪と、前記ＬＥＤ基板の位置決めに用いられ、前記コ字形状の内側の開口に向けて突出すると共に、先端が屈曲されて、全体がＬ字形状である位置決爪と、前記器具本体の底板に固定するためのねじが挿通されるねじ孔と、を有する固定金具と、
を備え、
前記固定金具の、前記コ字形状における対向する二辺に相当する部分を第１、第２の部分とし、前記コ字形状の前記対向する二辺の間の辺に相当する部分を第３の部分とした場合に、
前記固定金具における前記固定爪は、前記固定金具の前記第１、第２の部分の互いに対向する箇所において対をなして設けられ、
前記固定金具における前記位置決爪としての、先端が前記器具本体の底板とは反対の側に屈曲される第１の位置決爪が、前記固定金具の前記第１、第２の部分の互いに対向する箇所において対をなして設けられ、
前記固定金具における前記位置決爪としての、先端が前記器具本体の底板の側に屈曲される第２の位置決爪が、前記固定金具の前記第３の部分において設けられ、
前記固定金具における前記ねじ孔が、前記固定金具における前記第１、第２の部分の互いに対向する箇所に対をなして設けられ、
前記固定金具が前記ＬＥＤ基板に被せられて、前記ねじ孔の各々に挿通されるねじによって、前記固定金具が前記器具本体の底板に固定される場合に、前記第１、第２の位置決爪の各々の、屈曲された先端部分の面が前記ＬＥＤ基板の側面に当接することで前記ＬＥＤ基板の移動が規制され、かつ前記固定爪の各々が弾性変形することで生じる弾性反発力によって前記ＬＥＤ基板が前記器具本体の底板の側に押圧される照明器具。
【発明の詳細な説明】
【技術分野】
【０００１】
本発明は、天井材の埋設孔に埋め込まれて設置されるダウンライト等に適用される照明器具に関する。
【背景技術】
【０００２】
従来より、ねじのねじ込みによって、反射板を器具本体に引き寄せることにより、ＬＥＤ基板を反射板によって仕切り板側に押圧させて器具本体に固定したものが知られている（例えば、特許文献１参照）。
【先行技術文献】
【特許文献】
【０００３】
【特許文献１】特開２００８−２０４６９２号公報（図２、段落００６７）
【発明の概要】
【発明が解決しようとする課題】
【０００４】
ところが、特許文献１は、ＬＥＤ基板を器具本体の所定位置に位置決めする手段を有さないために、ＬＥＤ基板を器具本体の所定位置に簡単に位置決めできない。
従って、特許文献１は、ＬＥＤ基板を器具本体の所定位置に位置決め固定する組立作業性が良好ではない。
また、特許文献１は、ＬＥＤ基板が器具本体の所定位置に位置決めされない場合、光学的な特性に支障を来す。
さらに、特許文献１は、ねじのねじ込み力のみによってＬＥＤ基板が器具本体に固定される。
従って、特許文献１は、ねじのねじ込み量に伴ってＬＥＤ基板に対する押圧力が不安定になる。
【０００５】
本発明は、前述した課題を解決するためになされたものであり、その目的は、ＬＥＤ基板の組立作業性を向上でき、ＬＥＤ基板を安定的に固定できる照明器具を提供することにある。
【課題を解決するための手段】
【０００６】
本発明に係る照明器具は、器具本体と、前記器具本体の底板上に載置され、所定厚みを有し、平面視で四角形のＬＥＤ基板と、弾性を有する板部材で構成され、平面視でコ字形状を有すると共に、前記ＬＥＤ基板の固定に用いられる、前記コ字形状の内側の開口に向けて突出する固定爪と、前記ＬＥＤ基板の位置決めに用いられ、前記コ字形状の内側の開口に向けて突出すると共に、先端が屈曲されて、全体がＬ字形状である位置決爪と、前記器具本体の底板に固定するためのねじが挿通されるねじ孔と、を有する固定金具と、を備え、前記固定金具の、前記コ字形状における対向する二辺に相当する部分を第１、第２の部分とし、前記コ字形状の前記対向する二辺の間の辺に相当する部分を第３の部分とした場合に、前記固定金具における前記固定爪は、前記固定金具の前記第１、第２の部分の互いに対向する箇所において対をなして設けられ、前記固定金具における前記位置決爪としての、先端が前記器具本体の底板とは反対の側に屈曲される第１の位置決爪が、前記固定金具の前記第１、第２の部分の互いに対向する箇所において対をなして設けられ、前記固定金具における前記位置決爪としての、先端が前記器具本体の底板の側に屈曲される第２の位置決爪が、前記固定金具の前記第３の部分において設けられ、前記固定金具における前記ねじ孔が、前記固定金具における前記第１、第２の部分の互いに対向する箇所に対をなして設けられ、前記固定金具が前記ＬＥＤ基板に被せられて、前記ねじ孔の各々に挿通されるねじによって、前記固定金具が前記器具本体の底板に固定される場合に、前記第１、第２の位置決爪の各々の、屈曲された先端部分の面が前記ＬＥＤ基板の側面に当接することで前記ＬＥＤ基板の移動が規制され、かつ前記固定爪の各々が弾性変形することで生じる弾性反発力によって前記ＬＥＤ基板が前記器具本体の底板の側に押圧される。
【発明の効果】
【０００７】
本発明に係る照明器具によれば、ＬＥＤ基板の組立作業性を向上でき、ＬＥＤ基板を安定的に固定できるという効果を奏する。
【図面の簡単な説明】
【０００８】
【図１】本発明に係る第１実施形態の照明器具の斜め上方から視た外観斜視図
【図２】本発明に係る第１実施形態の照明器具の断面斜視図
【図３】本発明に係る第１実施形態の照明器具の器具本体の底面図
【図４】本発明に係る第１実施形態の照明器具の器具本体の上下を逆にしたＬＥＤ基板周りの作業時の外観斜視図
【図５】本発明に係る第１実施形態の照明器具の器具本体の上下を逆にしたＬＥＤ基板周りの作業時の拡大外観斜視図
【図６】本発明に係る第２実施形態の照明器具の器具本体の上下を逆にしたＬＥＤ基板周りの作業時の外観斜視図
【図７】本発明に係る第２実施形態の照明器具の器具本体の上下を逆にしたＬＥＤ基板周りの作業時の拡大外観斜視図
【発明を実施するための形態】
【０００９】
以下、本発明に係る複数の実施形態の照明器具について図面を参照して説明する。
（第１実施形態）
図１に示すように、本発明に係る第１実施形態の照明器具１０は、器具本体１１と、器具本体１１の下方に取り付けられる枠体１２とを備え、不図示の天井材の埋設孔に埋め込まれてダウンライト等に適用される。
器具本体１１は、例えばアルミニウムダイキャスト等の金属製であって、略円筒形状に形成された筒部１３を有し、筒部１３の上部に複数の放熱フィン１４を有する。
器具本体１１は、不図示のブラケットを介して同じく不図示の電源ユニットが外側に取り付けられる。
枠板１２は、例えば硬質の樹脂材料により成形されており、下端部にフランジ形状の化粧板１５を有し、一対の取付ばね１６が側部の対向する位置に取り付けられている。
【００１０】
図２に示すように、照明器具１０は、器具本体１１に有する底板１７の下面に固定金具１８を介してＬＥＤユニット１９が取り付けられる。
照明器具１０は、ＬＥＤユニット１９の直下に反射板２０が取り付けられ、反射板２０の前方に乳白色や透明なレンズ２１が取り付けられる。
ＬＥＤユニット１９は、四角形で所定の厚みを有する蛍光体層２２がＬＥＤ基板２３の前面に封止されており、ＬＥＤ基板２３に有するプリント回路（図３参照）２４がリード線（図３参照）２５を通じて電源ユニットに電気的に接続される。
【００１１】
図３に示すように、ＬＥＤ基板２３は、コ字形状に形成された板状の固定金具１８に一対のねじ２６がねじ込まれることにより、器具本体１１の底板１７の所定位置に取り付けられる。
ＬＥＤ基板２３は、器具本体１１の底板１７から引き出されたリード線２５がプリント回路２４にはんだ付けされる。
【００１２】
図４に示すように、ＬＥＤ基板２３は、所定の厚みを有する四角形の板形状に形成されている。
固定金具１８は、弾性を有する金属製の板部材によりコ字形状に成形されており、本体２７の内側にＬＥＤ基板収容部２８を有する。
【００１３】
固定金具１８は、ＬＥＤ基板収容部２８の開放側の両端部において本体２７の面方向に延長して図４中の−Ｙ方向側および図４中の＋Ｙ方向側に平板状に突出される一対の第１固定爪２９を対向して備える。
第１固定爪２９は、ＬＥＤ基板収容部２８の内側に配置されるＬＥＤ基板２３におけるＬＥＤ基板収容部２８の縁部からの距離よりも十分に長い長さを有する。
【００１４】
固定金具１８は、ＬＥＤ基板収容部２８の中央部において本体２７の面方向に延長して図４中の−Ｙ方向側および図４中の＋Ｙ方向側に平板状に突出される一対の第２固定爪３０を対向して備える。
第２固定爪３０は、ＬＥＤ基板収容部２８の内側に配置されるＬＥＤ基板２３におけるＬＥＤ基板収容部２８の縁部からの距離よりも十分に長い長さを有する。
【００１５】
固定金具１８は、ＬＥＤ基板収容部２８の閉塞側の両端部において本体２７の面方向に延長して図４中の−Ｙ方向側および図４中の＋Ｙ方向側に平板状に突出される一対の第３固定爪３１を対向して備える。
第３固定爪３１は、ＬＥＤ基板収容部２８の内側に配置されるＬＥＤ基板２３におけるＬＥＤ基板収容部２８の縁部からの距離よりも十分に長い長さを有する。
【００１６】
固定金具１８は、第２固定爪３０の近傍において本体２７の面方向に延長して図４中の−Ｙ方向側および図４中の＋Ｙ方向側にＬＥＤ基板収容部２８の内側に向けてＬ字状に突出される一対の第１位置決爪３２を対向して備える。
第１位置決爪３２は、ＬＥＤ基板収容部２８の内側に配置されるＬＥＤ基板２３におけるＬＥＤ基板収容部２８の縁部からの距離よりもわずかに短い長さを有する。
【００１７】
固定金具１８は、第３固定爪３１の近傍において本体２７の面方向に延長して図４中の−Ｙ方向側および図４中の＋Ｙ方向側に面方向にＬＥＤ基板収容部２８の内側に向けてＬ字状に突出される一対の第２位置決爪３３を対向して備える。
第２位置決爪３３は、ＬＥＤ基板収容部２８の内側に配置されるＬＥＤ基板２３におけるＬＥＤ基板収容部２８の縁部からの距離よりもわずかに短い長さを有する。
【００１８】
図５に示すように、固定金具１８は、第２固定爪３０および第２固定爪３１から同一の離間距離の位置に、ねじ２６が挿通される一対のねじ孔３４を有する。
そのため、ねじ孔３４に挿通されて器具本体１１の底板１７にねじ２６がねじ込まれた際に、第２固定爪３０および第３固定爪３１に均等にねじ込み応力が作用する。
【００１９】
第２位置決爪３３は、図４中および図５中の＋Ｚ方向に向けてＬ字形状に屈曲して成形されている。
そのため、第２位置決爪３３は、固定金具１８が器具本体１１の底板１７にねじ止めされた際に、ＬＥＤ基板２３の図５中の−Ｙ方向側の側面３５およびＬＥＤ基板２３の図５中の＋Ｙ方向側の側面３６に当接する。
第１位置決爪３２も、第２位置決爪３３と同様に、図４中の＋Ｚ方向に向けてＬ字形状に屈曲して成形されている。
そのため、第１位置決爪３２は、固定金具１８が器具本体１１の底板１７にねじ止めされた際に、ＬＥＤ基板２３の図４中の−Ｙ方向側の側面３５およびＬＥＤ基板２３の図４中の＋Ｙ方向側の側面３６に当接する。
【００２０】
次に、固定金具１８を介したＬＥＤ基板２３の取付手順について説明する。
まず、ＬＥＤ基板２３を器具本体１１の底板１７上に載置する。このとき、ＬＥＤ基板２３は位置決めされていない。
次に、ＬＥＤ基板２３に固定金具１８が上方から被される。
このとき、第１固定爪２９と第２固定爪３０と第３固定爪３１とが、ＬＥＤ基板２３におけるＬＥＤ基板収容部２８の縁部からの距離よりも十分に長い長さを有する。
そのため、第１固定爪２９と第２固定爪３０と第３固定爪３１とが、ＬＥＤ基板２３の上面３７上に配置される。
固定金具１８は、本体２７が器具本体１１の底板１７から離れて浮いた状態となる。
そのため、第１位置決爪３２および第２位置決爪３３は、ＬＥＤ基板２３の図５中の−Ｙ方向側の側面３５およびＬＥＤ基板２３の図５中の＋Ｙ方向側の側面３６に当接されていない。
【００２１】
次に、固定金具１８のねじ孔３４にねじ２６が挿通され、ねじ２６が器具本体１１の底板１７にねじ込まれる。
ねじ２６が器具本体１１の底板１７にねじ込まれることにより、固定金具１８の本体２７が器具本体１１の底板１７に向けて図５中の−Ｚ方向に移動される。
そのため、ＬＥＤ基板２３の上面３７上に配置されている第１固定爪２９と第２固定爪３０と第３固定爪３１とが弾性変形されていく。
これにより、第１固定爪２９と第２固定爪３０と第３固定爪３１とに蓄積される弾性反発力により、ＬＥＤ基板２３が器具本体１１の底板１７に向けて図５中の−Ｚ方向に押圧される。
【００２２】
そして、固定金具１８の本体２７が器具本体１１の底板１７に近づくために、第１位置決爪３２および第２位置決爪３３が、器具本体１１の底板１７に向けて移動されていく。
そのため、第１位置決爪３２および第２位置決爪３３が、ＬＥＤ基板２３の図５中の−Ｙ方向側の側面３５およびＬＥＤ基板２３の図５中の＋Ｙ方向側の側面３６に当接される。
これにより、第１固定爪２９と第２固定爪３０と第３固定爪３１とによりＬＥＤ基板２３の上面３７を器具本体１１の底板１７に向けて押圧する。
そして、この状態において、第１位置決爪３２および第２位置決爪３３によりＬＥＤ基板２３の図５中の−Ｙ方向側の側面３５およびＬＥＤ基板２３の図５中の＋Ｙ方向側の側面３６を支持する。
従って、固定金具１８の取り付けにより、ＬＥＤ基板２３を器具本体１１の底板１７の所定位置に簡単に固定できる。
また、固定金具１８の取り付けにより、ＬＥＤ基板２３を器具本体１１の底板１７に安定的に固定できる。
そして、固定金具１８の取り付けにより、ＬＥＤ基板２３が器具本体１１の底板１７に密着されて熱的に接続される。
【００２３】
このような照明器具１０は、取付ばね１６が器具本体１１に沿うように弾性変形された状態で、器具本体１１が天井材の埋設孔内に下方から挿入される。
そして、器具本体１１が天井材の埋設孔内に挿入された後に、取付ばね１６が水平方向に弾性復元されることにより、器具本体１１が天井材に支持されて、照明器具１０が天井面に設置される。
【００２４】
以上、説明した本発明に係る第１実施形態の照明器具１０によれば、固定金具１８の取り付けにより、ＬＥＤ基板２３を器具本体１１の底板１７の所定位置に簡単にして安定的に固定できる。
【００２５】
また、第１実施形態の照明器具１０によれば、固定金具１８の取り付けにより、ＬＥＤ基板２３が器具本体１１の底板１７に密着されて熱的に接続されるために、ＬＥＤ基板２３の放熱経路を確保できる。
【００２６】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２７】
図６および図７に示すように、本発明に係る第２実施形態の照明器具４０は、第１固定爪２９と第２固定爪３０と第３固定爪３１と第１位置決爪３２と第２位置決爪３３とに加えて、第３位置決爪４２および第４位置決爪４３を有する固定金具４１を備える。
【００２８】
第３位置決爪４２は、ＬＥＤ基板収容部２８の内側に配置されるＬＥＤ基板２３におけるＬＥＤ基板収容部２８の縁部からの距離よりもわずかに短い長さを有する。
第３位置決爪４２は、ＬＥＤ基板２３の側面３５および側面３６に直交する側面４４に対応するＬＥＤ基板収容部２８の図６中の−Ｙ方向寄りに配置される。
第３位置決爪４２は、図６中の−Ｚ方向に向けてＬ字形状に屈曲して成形されているために、固定金具１８が器具本体１１の底板１７にねじ止めされた際に、ＬＥＤ基板２３の側面４４に当接する。
【００２９】
第４位置決爪４３は、ＬＥＤ基板収容部２８の内側に配置されるＬＥＤ基板２３におけるＬＥＤ基板収容部２８の縁部からの距離よりもわずかに短い長さを有する。
第４位置決爪４３は、ＬＥＤ基板２３の側面３５および側面３６に直交する側面４４に対応するＬＥＤ基板収容部２８の図６中の＋Ｙ方向寄りに配置される。
第４位置決爪４３は、図６中および図７中の−Ｚ方向に向けてＬ字形状に屈曲して成形されているために、固定金具１８が器具本体１１の底板１７にねじ止めされた際に、ＬＥＤ基板２３の側面４４に当接する。
【００３０】
本発明に係る第２実施形態の照明器具４０によれば、固定金具４１の取り付けにより、ＬＥＤ基板２３の３個の側面３５，側面３６，側面４４を支持して位置決めするために、位置決め精度を、さらに向上できる。
【００３１】
なお、本発明の照明器具において器具本体，枠体，レンズ，取付ばね等は、前述した各実施形態に限定されるものでなく、適宜な変形や改良等が可能である。
【符号の説明】
【００３２】
１０，４０  照明器具
１１  器具本体
１８，４１  固定金具
１９  ＬＥＤユニット
２３  ＬＥＤ基板
２９  第１固定爪（固定爪）
３０  第２固定爪（固定爪）
３１  第３固定爪（固定爪）
３２  第１位置決爪（位置決爪）
３３  第２位置決爪（位置決爪）
４２  第３位置決爪（位置決爪）
４３  第４位置決爪（位置決爪）
【図１】
0005760185.tif 000002
【図２】
0005760185.tif 000003
【図３】
0005760185.tif 000004
【図４】
0005760185.tif 000005
【図５】
0005760185.tif 000006
【図６】
0005760185.tif 000007
【図７】
0005760185.tif 000008